(57)【特許請求の範囲】
【請求項１】
本体部と蓋部とが、上方から鉛直方向に挿入されたボルトによって締結されてなり、内部にドレンの排出口を有するケーシングと、
上記ケーシングの下部から斜め下方へ突出する状態で上記ケーシングを貫通して設けられ、外端が上記ケーシング内へ押し込まれることにより上記排出口に進入して該排出口の異物を除去する棒状の操作部材と、
鉛直方向に延びる棒状に形成され、上端に上記ボルトの下端と螺合するねじ孔が設けられ、上記ケーシングを地面から間隔を置いて配置させる脚部とを備えている
ことを特徴とするスチームトラップ。
【請求項２】
請求項１に記載のスチームトラップにおいて、
上記脚部は、鉛直方向長さが調整可能に構成されている
ことを特徴とするスチームトラップ。
【請求項３】
請求項２に記載のスチームトラップにおいて、
上記脚部は、鉛直方向に延びて形成され、上端に上記ねじ孔が設けられると共に下端にねじ孔が設けられた棒状部材と、上記棒状部材の下端側の上記ねじ孔と螺合する雄ねじ部を有する接地部材とを有している
ことを特徴とするスチームトラップ。
【請求項４】
本体部と蓋部とが、上方から鉛直方向に挿入されたボルトによって締結されてなり、内部にドレンの排出口を有するケーシングと、
上記ケーシングの下部から斜め下方へ突出する状態で上記ケーシングを貫通して設けられ、外端が上記ケーシング内へ押し込まれることにより上記排出口に進入して該排出口の異物を除去する棒状の操作部材とを備えたスチームトラップの脚部であって、
鉛直方向に延びる棒状に形成され、上端に上記ボルトの下端と螺合するねじ孔が設けられ、上記ケーシングを地面から間隔を置いて配置させる
ことを特徴とするスチームトラップの脚部。
【発明の詳細な説明】
【技術分野】
【０００１】
本願は、ドレンの排出口に詰まった異物を除去する清掃機構を備えたスチームトラップおよびその脚部に関するものである。
【背景技術】
【０００２】
例えば特許文献１に開示されているように、ドレン（復水）の排出口に詰まった異物を除去する清掃機構を備えたスチームトラップが知られている。この清掃機構は、排出口へ進退する棒状の操作部材を備えている。この清掃機構では、操作部材の一端がケーシングの下部から斜め下方へ向かって外部に突出しており、外部から手動で操作部材を押し込むことによって操作部材が排出口に進入する。この操作部材の進入により、排出口に詰まっていた異物が除去される。
【先行技術文献】
【特許文献】
【０００３】
【特許文献１】特開２００７−３０３６３１号公報
【発明の概要】
【発明が解決しようとする課題】
【０００４】
ところで、上述したようなスチームトラップは、地面にそのまま載置される場合がよくある。その場合、清掃機構による清掃作業が煩雑になるという問題があった。即ち、清掃機構の操作部材はケーシングの下部から斜め下方へ向かって突出しているため、スチームトラップが地面に載置されることにより、操作部材を手動で操作するスペースが少なくなる。そのため、現場での清掃作業が煩雑になってしまう。
【０００５】
本願に開示の技術は、かかる事情に鑑みてなされたものであり、その目的は、地面等に設置された状態において、操作部材の操作スペースを確保し得るスチームトラップを提供することにある。
【課題を解決するための手段】
【０００６】
本願に開示の技術は、ケーシングと、操作部材と、脚部とを備えたスチームトラップである。上記ケーシングは、本体部と蓋部とが、上方から鉛直方向に挿入されたボルトによって締結されてなり、内部にドレンの排出口を有している。上記操作部材は、上記ケーシングの下部を貫通して設けられ、外端が上記ケーシング内へ押し込まれることにより上記排出口に進入して該排出口の異物を除去する棒状のものである。上記脚部は、鉛直方向に延びる棒状に形成され、上端に上記ボルトの下端と螺合するねじ孔が設けられているものである。
【０００７】
また、本願に開示の技術は、ケーシングと操作部材を備えたスチームトラップの脚部である。上記ケーシングは、本体部と蓋部とが、上方から鉛直方向に挿入されたボルトによって締結されてなり、内部にドレンの排出口を有している。上記操作部材は、上記ケーシングの下部を貫通して設けられ、外端が上記ケーシング内へ押し込まれることにより上記排出口に進入して該排出口の異物を除去する棒状のものである。そして、本願のスチームトラップの脚部は、鉛直方向に延びる棒状に形成され、上端に上記ボルトの下端と螺合するねじ孔が設けられているものである。
【発明の効果】
【０００８】
本願のスチームトラップによれば、鉛直方向に延びる棒状の脚部がケーシングに設けられているので、ケーシングを、脚部の長さ（鉛直方向長さ）の分だけ設置面（脚部の接地面）から間隔を置いて配置することができる。これにより、ケーシングの下方域において操作部材の操作スペースを確保することができる。
【０００９】
また、本願のスチームトラップによれば、脚部をケーシングに設けられているボルト（本体部と蓋部とを締結するボルト）と螺合するようにしたため、元々備えられているボルトを利用して脚部を取り付けることができる。これにより、部品点数を削減することができる。
【図面の簡単な説明】
【００１０】
【図１】図１は、実施形態１に係るスチームトラップの概略構成を示す正面図である。
【図２】図２は、実施形態１に係るスチームトラップの概略構成を示す左側面図である。
【図３】図３は、実施形態１に係るスチームトラップの概略構成を示す右側面図である。
【図４】図４は、実施形態１に係るスチームトラップの概略構成を示す平面図である。
【図５】図５は、実施形態１に係るスチームトラップの概略構成を脚部を省略して示す断面図である。
【図６】図６は、実施形態２に係るスチームトラップの概略構成を示す正面図である。
【図７】図７は、実施形態２に係るスチームトラップの概略構成を示す左側面図である。
【図８】図８は、実施形態２に係るスチームトラップの概略構成を示す右側面図である。
【発明を実施するための形態】
【００１１】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１２】
（実施形態１）
本願の実施形態１について説明する。図１〜図４に示すように、本実施形態のスチームトラップ１０は、土や砂等の地面に設置される。スチームトラップ１０は、例えば蒸気システムに設けられ、該システムで発生したドレン（復水）が流入し、その流入したドレンのみを自動的に排出するものである。
【００１３】
本実施形態のスチームトラップ１０は、ケーシング１１と、清掃機構１６と、脚部２０とを備えている。ケーシング１１は、本体部１２と蓋部１３とが複数（本実施形態では、４本）のボルト１８で締結されてなるものである。ケーシング１１において、本体部１２は上部に位置し、蓋部１３は下部に位置する。本体部１２には、ドレンの流入通路部１４および排出通路部１５が形成されている。本体部１２と蓋部１３とは、ボルト１８が上方から鉛直方向に挿入されて締結されている。つまり、ケーシング１１では、ボルト１８の雄ねじ部１８ａ（下端）が蓋部１３から下方へ突出する状態で設けられている。ケーシング１１は、ここでは図示しないが、内部にドレンの排出路（排出口）を有している。
【００１４】
清掃機構１６は、ケーシング１１の蓋部１３に設けられている。清掃機構１６は、ケーシング１１（蓋部１３）の下部を貫通して設けられる棒状の操作部材１７を有している。操作部材１７は、ケーシング１１（蓋部１３）の下部から斜め下方へ突出した状態で設けられている。操作部材１７は、その外端がケーシング１１内に手動で押し込まれることにより、内端がケーシング１１内の排出路（排出口）に進入するように構成されている。操作部材１７が排出路に進入することにより、排出路に詰まっている異物が除去される。つまり、清掃機構１６は排出路を清掃するものである。ケーシング１１内および清掃機構１６の詳細な構成については後述する。
【００１５】
脚部２０は、上述したボルト１８と同数の４本設けられている。脚部２０は、全体が鉛直方向に延びる棒状に形成されている。脚部２０は、鉛直方向に延びる円柱状の棒状部２１と、該棒状部２１の下端に連続して形成される接地部２２とを有している。
【００１６】
棒状部２１の上端には、ボルト１８の雄ねじ部１８ａ（下端）と螺合するねじ孔２１ａが設けられている。つまり、棒状部２１の上端面に、鉛直方向を軸とするねじ孔２１ａが設けられている。接地部２２は、地面に接地する部分であり、下方へいくに従って（地面に近づくに従って）拡がる円錐台状に形成されている。脚部２０は、棒状部２１のねじ孔２１ａが、蓋部１３から下方へ突出したボルト１８の雄ねじ部１８ａと螺合接合することによりケーシング１１に取り付けられる。
【００１７】
ケーシング内および清掃機構の詳細な構成について、図５を参照しながら説明する。なお、図５で説明するスチームトラップ３０は上述したスチームトラップ１０と外観は若干異なるが主要な構成および機能は同じである。また、図５では上述したボルト１８および脚部２０は省略する。
【００１８】
スチームトラップ３０は、本体部３２と蓋部３３とがボルト締結されてなるケーシング３１を備えている。ケーシング３１には、ドレンの流入通路３５、貯留室３４および排出通路３６が形成されている。貯留室３４には、球形のフロート３７が自由状態で配置されている。蓋部３３には弁座３８が設けられ、弁座３８には貯留室３４と排出通路３６とを連通させる排出路３９（排出口）が形成されている。スチームトラップ３０では、ドレンが流入通路３５から貯留室３４に流入して貯留される。フロート３７が弁座３８に離着座することにより、弁座３８の排出路３９が開閉される。排出路３９が開放されると、貯留室３４のドレンが排出路３９を介して排出通路３６に流れ外部に排出される。
【００１９】
蓋部３３には、弁座３８の排出路３９に詰まった異物を除去する清掃機構４０が設けられている。清掃機構４０は、プラグ４１、操作部材（第１操作部材４２、第２操作部材４３）およびバイメタル４６を備えている。プラグ４１は、蓋部３３において弁座３８と同軸にねじ結合されている。第１操作部材４２は、プラグ４１に貫通して設けられる棒状部材であり、その軸方向（弁座３８と同軸方向）に進退可能にプラグ４１にねじ結合されている。第２操作部材４３は、第１操作部材４２の先端部に被せられた棒状部材であり、弁座３８と同軸に設けられている。なお、プラグ４１には第１操作部材４２との間をシールするパッキン４４が設けられており、そのパッキン４４は外方から押え部材４５をプラグ４１にねじ込むことにより固定されている。バイメタル４６は、第１操作部材４２および第２操作部材４３の周囲に設けられる温度応動部材である。
【００２０】
清掃機構４０では、弁座３８の排出路３９に異物が詰まって、貯留室３４のドレンが正常に排出されなくなると、バイメタル４６が低温により変形し第２操作部材４３を前進させる。これにより、第２操作部材４３の先端が弁座３８の排出路３９に進入し、排出路３９の異物が第２操作部材４３によって除去される。また、清掃機構４０では手動によっても排出路３９の異物を除去することができる。即ち、第１操作部材４２をねじ込んで（押し込んで）前進させることにより、第２操作部材４３が前進する。これにより、第２操作部材４３の先端が排出路３９に進入し、排出路３９の異物が除去される。
【００２１】
このように清掃機構を備えたスチームトラップでは、清掃機構を手動で操作するための操作スペースが必要になる。つまり、スチームトラップではケーシングの下方において操作スペースが必要である。この点、本実施形態のスチームトラップ１０では、上述したようにケーシング１１の下部に脚部２０が設けられている。そのため、ケーシング１１は、脚部２０の長さ（鉛直方向長さ）の分だけ、地面（脚部２０の接地面）から間隔を置いて配置される。これにより、ケーシング１１の下方域（図１において右斜め下付近）において清掃機構１６（操作部材１７）の操作スペースが確保される。
【００２２】
以上より、上記実施形態のスチームトラップ１０によれば、鉛直方向に延びる棒状の脚部２０をケーシングに設けるようにしたため、ケーシングを、脚部の長さ（鉛直方向長さ）の分だけ設置面（脚部の接地面）から間隔を置いて配置することができる。これにより、ケーシングの下方域において清掃機構１６（操作部材１７）の操作スペースを確保することができる。したがって、現場において清掃機構１６の手動操作を容易にすることができる。
【００２３】
また、上記実施形態のスチームトラップ１０では、脚部２０をケーシング１１に設けられている（本体部１２と蓋部３３とを締結する）ボルト１８と螺合するようにしたため、元々備えられているボルト１８を利用して脚部２０を取り付けることができる。これにより、部品点数を削減することができる。
【００２４】
また、上記実施形態のスチームトラップ１０では、脚部２０を設けて地面に設置するため、直に地面に設置する場合に比べて、スチームトラップ１０の設置姿勢を安定させることができる。特に、土や砂等の凹凸のある地面にスチームトラップ１０を設置する場合は有効である。
【００２５】
（実施形態２）
本願の実施形態２について図６〜図８を参照しながら説明する。本実施形態のスチームトラップ１０は、上記実施形態１において、脚部の構成を変更するようにしたものである。つまり、本実施形態の脚部５０は、長さ（鉛直方向長さ）を調整可能に構成するようにしたものである。ここでは、上記実施形態１と異なる点について説明する。
【００２６】
本実施形態のスチームトラップ１０では、上記実施形態１と同様、脚部５０がボルト１８の雄ねじ部１８ａ（下端）と螺合することにより設けられている。本実施形態の脚部５０は、棒状部材５１と接地部材５２を有している。
【００２７】
棒状部材５１は、鉛直方向に延びる円柱部材であり、両端にねじ孔５１ａが設けられている。つまり、棒状部材５１の上端面および下端面に、鉛直方向を軸とするねじ孔５１ａが設けられている。棒状部材５１において、上端側のねじ孔５１ａはボルト１８の雄ねじ部１８ａと螺合し、下端側のねじ孔５１ａは後述する接地部材５２と螺合する。
【００２８】
接地部材５２は、地面に接地する略棒状の部材であり、接地部５３および雄ねじ部５４を有している。接地部５３は地面に接地する部分であり、雄ねじ部５４は接地部５３の上端に連続して形成されている。雄ねじ部５４は、鉛直方向に延びている。接地部材５２は、雄ねじ部５４が棒状部材５１の下端側のねじ孔５１ａと螺合することにより棒状部材５１と連結される。
【００２９】
本実施形態の脚部５０では、図６等に矢印で示すように、棒状部材５１に対する接地部材５２の雄ねじ部５４のねじ込み長さを変更することにより、脚部５０の長さ（鉛直方向長さ）が調整される。さらに、脚部５０には接地部材５２を確実に固定するナット５５が設けられている。ナット５５は、接地部材５２の雄ねじ部５４と螺合し棒状部材５１の下端面へ向かって締め付けられる。こうすることにより、確実に接地部材５２が棒状部材５１に固定される。
【００３０】
以上より、上記実施形態２のスチームトラップ１０によれば、脚部５０の長さ（鉛直方向長さ）を調整可能に構成するようにしたので、ケーシング１１と設置面（脚部５０の接地面）との間隔を調整することができる。これにより、例えば設置面の凹凸度合いに応じてケーシング１１と設置面との間隔を調整することで、確実に清掃機構１６（操作部材１７）の操作スペースを確保することができる。また、ケーシング１１が水平となるように脚部５０の長さを調整することにより、スチームトラップ１０を安定して作動させることができる。
【００３１】
具体的に、本実施形態の脚部５０では、棒状部材５１と接地部材５２とを螺合によって連結し、棒状部材５１に対する接地部材５２のねじ込み長さを変更することにより、長さ（鉛直方向長さ）を調整するようにした。したがって、脚部５０の長さを簡易に調整することができる。その他の構成、作用および効果は、上記実施形態１と同様である。
【００３２】
なお、上記実施形態２の脚部５０では、棒状部材５１の下端のねじ孔５１ａに接地部材５２の雄ねじ部５４を螺合して棒状部材５１と接地部材５２とを連結するようにしたが、棒状部材５１の下端に雄ねじ部を設け接地部材５２にねじ孔を設けて棒状部材５１と接地部材５２とを螺合により連結するようにしてもよい。この場合も、接地部材５２に対する棒状部材５１のねじ込み長さを変更することにより脚部５０の長さ（鉛直方向長さ）を調整することができる。
【産業上の利用可能性】
【００３３】
本願に開示の技術は、外部から手動操作する清掃機構を備えたスチームトラップについて有用である。
【符号の説明】
【００３４】
１０,３０      スチームトラップ
１１,３１      ケーシング
１２,３２      本体部
１３,３３      蓋部
１６,４０      清掃機構
１７           操作部材
１８           ボルト
２０           脚部
２１ａ         ねじ孔
３９           排出路（排出口）
４２           第１操作部材（操作部材）
４３           第２操作部材（操作部材）
５０           脚部
５１           棒状部材
５１ａ         ねじ孔
５２           接地部材
５４           雄ねじ部
【図１】
0006510841.tif 000002
【図２】
0006510841.tif 000003
【図３】
0006510841.tif 000004
【図４】
0006510841.tif 000005
【図５】
0006510841.tif 000006
【図６】
0006510841.tif 000007
【図７】
0006510841.tif 000008
【図８】
0006510841.tif 000009